(57)【要約】【課題】複数種類のパフォーマンスボードと接続できる接続ユニットを提供する。【解決手段】ＩＣソケットが載置されたパフォーマンスボードと、ＩＣソケットに保持される電子デバイスを試験する試験装置とを電気的に接続する接続ユニットであって、パフォーマンスボードと対向して設けられる保持基板と、保持基板上における位置が変更可能に保持基板上に設けられ、パフォーマンスボードが備えるパフォーマンスボード側コネクタと接続されるべき接続ユニット側コネクタとを備えることを特徴とする接続ユニットを提供する。【選択図】図１１
2011154033.tif 000002
【特許請求の範囲】
【請求項１】
ＩＣソケットが載置された被測定デバイス搭載ボードと、前記ＩＣソケットに保持される電子デバイスを試験する試験装置とを電気的に接続する接続ユニットであって、
前記被測定デバイス搭載ボードと対向して設けられる保持基板と、
前記保持基板上における位置が変更可能に前記保持基板上に設けられ、前記被測定デバイス搭載ボードが備えるパフォーマンスボード側コネクタと接続されるべき接続ユニット側コネクタと、
を備えることを特徴とする接続ユニット。
【請求項２】
前記被測定デバイス搭載ボードの種類により前記パフォーマンスボード側コネクタが異なる配設位置の場合、前記異なる配設位置に対応する位置へ前記接続ユニット側コネクタを移動して保持可能な構造を前記保持基板が備えることを特徴とする請求項１に記載の接続ユニット。
【請求項３】
前記接続ユニットに備える前記保持基板は前記接続ユニット側コネクタを着脱することが可能であり、
前記接続ユニット側コネクタを前記保持基板から取り外して、前記パフォーマンスボード側コネクタの配設位置が異なる他の前記被測定デバイス搭載ボードに対応した配設位置関係となる他の前記保持基板に交換可能な構造を当該保持基板が備えることを特徴とする請求項１又は２に記載の接続ユニット。
【請求項４】
接続ユニットは、前記接続ユニット側コネクタを複数備えており、
前記保持基板上において、複数の前記接続ユニット側コネクタ間の距離が変更可能であることを特徴とする請求項１に記載の接続ユニット。
【請求項５】
前記接続ユニット側コネクタは、前記接続ユニットと前記被測定デバイス搭載ボードとが接続した場合の前記ＩＣソケットの載置位置に対する、距離が変更可能に設けられることを特徴とする請求項１又は２に記載の接続ユニット。
【請求項６】
一端が前記接続ユニット側コネクタに固定され、前記接続ユニット側コネクタと前記試験装置とを電気的に接続する接続ケーブルを更に備え、
前記保持基板は、前記接続ユニット側コネクタを保持するべき位置に、前記接続ユニット側コネクタが通過可能な大きさの貫通孔を有することを特徴とする請求項１又は２に記載の接続ユニット。
【請求項７】
一端が前記接続ユニット側コネクタに固定され、前記接続ユニット側コネクタと前記試験装置とを電気的に接続する接続ケーブルを更に備え、
前記保持基板は、前記接続ユニット側コネクタの変更可能な複数の位置の間に渡って設けられ、前記接続ケーブルが通過する貫通孔を有することを特徴とする請求項１又は２に記載の接続ユニット。
【請求項８】
前記保持基板は、前記接続ユニットと前記被測定デバイス搭載ボードとが接続した場合の前記ＩＣソケットの載置位置を中心として、径方向及び周方向のいずれにも位置を変更可能に、前記接続ユニット側コネクタを保持することを特徴とする請求項１又は２に記載の接続ユニット。
【請求項９】
前記保持基板と略平行な面における前記ＩＣソケット及び前記接続ユニット側コネクタの断面は、それぞれ長方形であり、
前記径方向において、前記接続ユニット側コネクタを、前記ＩＣソケットの載置位置に最も近い位置に保持する場合、
前記保持基板は、前記接続ユニット側コネクタの前記断面の長辺が、前記ＩＣソケットの前記断面の最も近い辺と対向するように、前記接続ユニット側コネクタを保持することを特徴とする請求項８に記載の接続ユニット。
【請求項１０】
前記保持基板は、前記保持基板上における予め定められた複数の位置にそれぞれ設けられ、前記接続ユニット側コネクタが変更可能な位置を指定する複数のコネクタ位置決め部材を有することを特徴とする請求項１又は２に記載の接続ユニット。
【請求項１１】
前記接続ユニット側コネクタは、互いに嵌合する溝及び突起の一方を有し、
前記複数のコネクタ位置決め部材は、前記溝及び突起の他方を有し、
前記保持基板は、前記接続ユニット側コネクタの前記溝又は突起と、前記コネクタ位置決め部材の前記溝又は突起とを嵌合させることにより、前記接続ユニット側コネクタを保持することを特徴とする請求項９に記載の接続ユニット。
【請求項１２】
前記被測定デバイス搭載ボードは、複数の前記ＩＣソケットを載置し、
前記接続ユニットは、前記複数のＩＣソケットに対応して設けられた複数の前記接続ユニット側コネクタを備え、
前記保持基板は、前記複数の接続ユニット側コネクタのそれぞれを、前記保持基板上における位置が変更可能に保持することを特徴とする請求項１に記載の接続ユニット。
【請求項１３】
前記保持基板上に設けられ、径が予め定められた大きさ以下である前記被測定デバイス搭載ボードを保持するべき位置を定める小径パフォーマンスボード位置決め部材と、
前記保持基板上において、前記小径パフォーマンスボード位置決め部材より、前記ＩＣソケットの載置位置から遠い位置に設けられ、径が前記予め定められた大きさより大きい前記被測定デバイス搭載ボードを保持するべき位置を定める大径パフォーマンスボード位置決め部材と
を更に備えることを特徴とする請求項１又は２に記載の接続ユニット。
【請求項１４】
電子デバイスと、前記電子デバイスを試験する試験装置とを電気的に接続する被測定デバイス搭載ボードであって、
前記電子デバイスを保持するＩＣソケットと、
前記ＩＣソケットを保持するソケット基板と、
前記電子デバイスに供給する試験信号を前記試験装置から受け取り、前記ＩＣソケットに供給する高周波信号用コネクタと、
前記高周波信号用コネクタより、前記ＩＣソケットから遠い位置に設けられ、前記高周波信号用コネクタが前記ＩＣソケットに供給する前記試験信号より周波数の低い信号を前記試験装置から受け取り、前記ＩＣソケットに供給する低周波信号用コネクタと
を備えることを特徴とする被測定デバイス搭載ボード。
【請求項１５】
前記ソケット基板は、
前記高周波信号用コネクタに電気的に接続し、前記ソケット基板の前記高周波信号用コネクタが設けられた下面から、前記ソケット基板の上面に達しない中層位置まで形成された高周波用片面ホールと、
前記ソケット基板において、前記高周波用片面ホールより前記ソケット基板の外周側に設けられ、前記低周波信号用コネクタに電気的に接続し、前記ソケット基板の前記低周波信号用コネクタが設けられた下面から、前記ソケット基板の前記電子デバイスを載置する上面まで貫通した低周波用スルーホールと
を有することを特徴とする請求項１４に記載の被測定デバイス搭載ボード。
【請求項１６】
前記ソケット基板は、
前記電子デバイスの高周波信号用ピンに電気的に接続し、前記ソケット基板の前記上面から前記下面まで貫通した高周波用スルーホールと、
前記ソケット基板において、前記高周波用スルーホールより前記ソケット基板の外周側に設けられ、前記電子デバイスの低周波信号用ピンに電気的に接続し、前記ソケット基板の前記上面から、前記ソケット基板の前記下面に達しない中層位置まで形成された低周波用片面ホールと
を更に有することを特徴とする請求項１５に記載の被測定デバイス搭載ボード。
【請求項１７】
前記ソケット基板は、深さ方向における複数の層に配線が形成されており、
前記複数の層のいずれかに形成され、前記低周波用スルーホールと前記低周波用片面ホールとを電気的に接続する低周波信号用配線と、
前記複数の層のうち、前記低周波信号用配線が形成された層より前記ソケット基板の下面側の層に形成され、前記高周波用片面ホールと前記高周波用スルーホールとを電気的に接続する高周波信号用配線と
を更に有することを特徴とする請求項１６に記載の被測定デバイス搭載ボード。
【請求項１８】
電子デバイスと、前記電子デバイスを試験する試験装置とを電気的に接続する被測定デバイス搭載ボードであって、
複数の層に配線が形成されたソケット基板と、
前記ソケット基板の下面に設けられ、前記電子デバイスに供給する試験信号を前記試験装置から受け取るコネクタと
を備え、
前記ソケット基板は、
前記ソケット基板のいずれかの層に形成され、前記試験信号を前記電子デバイスに伝送する信号用配線と、
前記信号用配線より前記ソケット基板の上面側の層に形成され、それぞれ接地電位に接続される複数の上層ＧＮＤ配線と、
前記信号用配線より前記ソケット基板の下面側の層に形成され、それぞれ接地電位に接続される下層ＧＮＤ配線と、
前記ソケットの下面から、前記ソケットの上面に向かって形成され、前記コネクタと、前記信号用配線とを電気的に接続する片面ホールと
を有し、
前記複数の上層ＧＮＤ配線のうちの少なくとも一部と、前記片面ホールとの水平方向における距離は、前記下層ＧＮＤ配線と前記片面ホールとの水平方向における距離より大きいことを特徴とする被測定デバイス搭載ボード。
【請求項１９】
前記複数の上層ＧＮＤ配線のうち、最も前記信号用配線に近い前記上層ＧＮＤ配線と前記片面ホールとの前記水平方向における距離は、前記下層ＧＮＤ配線と前記片面ホールとの前記水平方向における距離と略同一であり、他の前記上層ＧＮＤ配線と前記片面ホールとの前記水平方向における距離より小さいことを特徴とする請求項１８に記載の被測定デバイス搭載ボード。
【請求項２０】
前記片面ホールは、前記ソケットの下面から、前記ソケットの上面に達しない中層位置まで形成される請求項１８に記載の被測定デバイス搭載ボード。
【請求項２１】
電子デバイスと、前記電子デバイスを試験する試験装置とを電気的に接続する被測定デバイス搭載ボードであって、
複数の層に配線が形成されたソケット基板と、
前記ソケット基板の下面に設けられ、前記電子デバイスに供給する試験信号を前記試験装置から受け取るコネクタと
を備え、
前記ソケット基板は、
前記ソケット基板のいずれかの層に形成され、前記試験信号を前記電子デバイスに伝送する信号用配線と、
前記ソケットの下面から、前記ソケットの上面に達しない中層位置まで形成され、前記コネクタと、前記信号用配線とを電気的に接続する片面ホールと、
前記信号用配線と異なる複数の層において、前記片面ホールを前記ソケット基板の上面まで延長した場合に、前記片面ホールが形成される領域以外に形成され、それぞれ接地電位に接続される複数のＧＮＤ配線と
を有することを特徴とする被測定デバイス搭載ボード。
【請求項２２】
電子デバイスと、前記電子デバイスを試験する試験装置とを電気的に接続するプローブカードであって、
前記電子デバイスの端子と電気的に接続するプローブピンと、
前記プローブピンを保持するプローブ基板と、
前記電子デバイスに供給する試験信号を前記試験装置から受け取り、前記プローブピンに供給する高周波信号用コネクタと、
前記高周波信号用コネクタより、前記プローブピンから遠い位置に設けられ、前記高周波信号用コネクタが前記プローブピンに供給する前記試験信号より周波数の低い信号を前記試験装置から受け取り、前記プローブピンに供給する低周波信号用コネクタと
を備えることを特徴とするプローブカード。
【請求項２３】
ＩＣ試験装置において被測定デバイスを試験する電気信号をインタフェースするために使用されるボードであって、
多層プリント配線板構造を有し、
内層配線パターンの両端のいずれか一方がスルーホールと接続され、残る他方がＳＶＨ（Surface Buried Via Hole)と接続され、
前記内層配線パターンの層を挟むように上下に接地層を備え、
前記ＳＶＨの周辺部の接地層は、当該ＳＶＨのスタブ部位の存在に伴う伝送特性の劣化を低減するように、当該スタブ部位と接地層との距離を形成し、
それら接続されたＳＶＨ、内層配線パターン及びスルーホールによって表裏両面間の配線が構成されていることを特徴とする被測定デバイス搭載ボード。
【請求項２４】
前記被測定デバイス搭載ボードは、
前記内層配線パターンの層と接地層を有する複数層構成の複数層プリント基板を備え、
少なくとも２枚の前記複数層プリント基板を貼り合わせた後に、前記内層配線パターンの両端の前記一方と接続される前記スルーホールを形成して多層プリント配線板を形成し、
前記複数層プリント基板の段階で形成された所定のスルーホールを、前記内層配線パターンの両端の前記他方と接続される前記ＳＶＨとして適用し、
前記内線配線パターンの導体幅と、上下の前記接地層の距離とに基づいて、所定の特性インピーダンスを形成することを特徴とする請求項２３に記載の被測定デバイス搭載ボード。
【請求項２５】
テストヘッドと被測定デバイスとの間を通過する電気信号をインタフェースするＩＣ試験装置のデバイスインタフェース部において、
被測定デバイスを試験する電気信号をインタフェースするために使用する被測定デバイス搭載ボードが、
多層プリント配線板構造を有し、
内層配線パターンの両端のいずれか一方がスルーホールと接続され、残る他方がＳＶＨ（Surface Buried Via Hole)と接続され、
前記内層配線パターンの層を挟むように上下に接地層を備え、
前記ＳＶＨの周辺部の接地層は、当該ＳＶＨのスタブ部位の存在に伴う伝送特性の劣化を低減するように、当該スタブ部位と接地層との距離を形成し、
それら接続されたＳＶＨ、内層配線パターン及びスルーホールによって表裏両面間の配線が構成されていることを特徴とするデバイスインタフェース部。
【発明の詳細な説明】
【技術分野】
【０００１】
本発明は、試験装置に関する。特に本発明は、パフォーマンスボード、プローブカード、ソケットボードと一般に称され、被測定デバイス（ＤＵＴ：device under test)を搭載するために使用されている被測定デバイス搭載ボード、及び被測定デバイス搭載ボードと試験装置本体とを接続する接続ユニットの構造に関する。また本出願は、下記の日本国特許出願に関連する。文献の参照による組み込みが認められる指定国については、下記の出願に記載された内容を参照により本出願に組み込み、本出願の記載の一部とする。
特願２００２−３１７２８７号      出願日  ２００２年１０月３１日
特願２００２−３３８５６０号      出願日  ２００２年１１月２１日    
【背景技術】
【０００２】
図１４はＩＣ試験装置の一構成の概要を示したものであり、まず図１４を参照してＩＣ試験装置の構成を簡単に説明する。
【０００３】
ＩＣ試験装置は大別してメインフレーム１とテストヘッド２とデバイスインタフェース部（ＤＵＴインタフェース部）３とよりなり、メインフレーム１とテストヘッド２とはケーブル４によって接続され、デバイスインタフェース部３はテストヘッド２上に搭載されてテストヘッド２と接続されている。
【０００４】
デバイスインタフェース部３はこの例では基板１１と多数（例えば、数千本）のケーブル１２とを備えたマザーボード（マザーボードユニット）１０と、一般にパフォーマンスボードと称される被測定デバイス搭載ボード２０と、ＩＣソケット３２０とよりなり、基板１１はその下面にテストヘッド２との接続用のコネクタ（図示せず）を具備している。
【０００５】
ケーブル１２はその下端が基板１１に半田付けされ、またはコネクタを介して接続されており、上端はコネクタ等（図示せず）を介して被測定デバイス搭載ボード２０に接続されている。被測定デバイス搭載ボード２０上にはこの例ではＩＣソケット３２０が１つ実装されている。図１４中、４０はＩＣソケット３２０に装着された被測定デバイス（被測定ＩＣ）を示す。また、１３はケーブル１２を覆うカバーを示す。
【０００６】
図１５は上記のような構成を有するＩＣ試験装置における被測定デバイス搭載ボード２０の従来の構成及び被測定デバイス搭載ボード２０に対する被測定デバイス４０とコネクタ（ケーブル１２上端のコネクタ）１５との接続関係を模式的に示したものであり、ＩＣソケット３２０の図示は省略している。
【０００７】
被測定デバイス搭載ボード２０は多層プリント配線板構造を有するものとされ、その上面及び下面には所要の電極パッド２１、２２がそれぞれ被測定デバイス４０接続用及びコネクタ１５接続用として形成されている。
【０００８】
上下面の対応する電極パッド２１と２２とは、電極パッド２１、２２部分にスルーホール２３がそれぞれ形成され、それらスルーホール２３が内層配線パターン２４によって接続されることにより互いに接続されており、即ち従来の被測定デバイス搭載ボード２０は電極パッド２１、２２と内層配線パターン２４との接続にスルーホール２３を用いるといった多層プリント配線板構造を採用していた（例えば、非特許文献１参照）。なお、図１４中、矢印は電気信号の流れを示す。
【０００９】
ところで、ＩＣ試験装置においては試験の高速化が図られ、被測定デバイスの高速試験において例えば４Ｇｂｐｓといった高速信号が使用される状況になってきている。このような信号の高速化に伴い、図１５に示したような構造を有する従来の被測定デバイス搭載ボード２０ではスルーホール２３周りの設計が反射や帯域遮断の面で影響を及ぼすようになってきた。
【００１０】
即ち、図１５中に点線で囲んで示したように、スルーホール２３におけるスタブ部分（ここでは伝送線路として不要な部分をスタブ部分と言う。）２５が大きい（長い）ため、このスタブ部分２５の容量が問題となり、波形歪みや容量性反射が発生し、これにより信号品質（波形品質）が損なわれ、信号の高速化に対応できないといった問題が従来の被測定デバイス搭載ボード２０で顕在化してきた。
【００１１】
この発明の目的の一つは、この問題に鑑み、スタブ容量を削減し、高速信号に対応できるようにした被測定デバイス搭載ボードを提供することにあり、さらにその被測定デバイス搭載ボードを具備したＩＣ試験装置のデバイスインタフェース部を提供することにある。
【００１２】
また、従来半導体素子等の電子デバイスを試験する場合、試験信号を生成する試験装置と、電子デバイスを載置するパフォーマンスボードと、試験装置及びパフォーマンスボードを電気的に接続する接続ユニットとが用いられている。パフォーマンスボード及び接続ユニットには、互いに嵌合するコネクタが対向して設けられており、接続ユニット側のコネクタは、試験装置から試験信号を受け取り、パフォーマンスボード側のコネクタを介して電子デバイスに試験信号を供給する。
【００１３】
接続ユニット側のコネクタ及びパフォーマンスボード側のコネクタは、それぞれ接続ユニット及びパフォーマンスボードの予め定められた位置に固定されており、対応するコネクタ同士を嵌合させることにより、試験装置とパフォーマンスボードとを電気的に接続している（例えば、特許文献１参照）。例えば、それぞれのコネクタは、接続ユニット及びパフォーマンスボードの最外周近傍に設けられている。
【特許文献１】特開２０００−８１４６１号公報（第５頁、第１−２図）
【非特許文献１】高木  清著、「ビルドアップ多層プリント配線板技術」、日刊工業新聞社、２０００年６月２０日、ｐ．７−８
【発明の開示】
【発明が解決しようとする課題】
【００１４】
しかし、接続ユニット側のコネクタが固定されているため、コネクタの位置が異なるようなパフォーマンスボードと、接続ユニットとを接続することが困難であった。このため、コネクタ位置の異なるパフォーマンスボードのそれぞれに対応するコネクタ配置を有する接続ユニットをそれぞれ用意する必要があった。
【００１５】
例えば、電子デバイスに高周波の試験信号を供給したい場合、パフォーマンスボード側コネクタから電子デバイスまでの伝送線路長を短くするために、パフォーマンスボード側コネクタを、電子デバイスの近傍に配置する必要がある。この場合、接続ユニット側のコネクタもパフォーマンスボード側コネクタの位置に対応して配置される必要があるが、従来の接続ユニット側コネクタは固定されているため、高周波信号用の接続ユニットを用意する必要があった。
【００１６】
そこで本発明は、上記の課題を解決することのできる接続ユニット、被測定デバイス測定ボード、プローブカード、及びデバイスインタフェース部を提供することを目的とする。この目的は、特許請求の範囲における独立項に記載の特徴の組み合わせにより達成される。また従属項は本発明の更なる有利な具体例を規定する。
【課題を解決するための手段】
【００１７】
上記課題を解決するために、本発明の第１の形態においては、ＩＣソケットが載置された被測定デバイス搭載ボードと、ＩＣソケットに保持される電子デバイスを試験する試験装置とを電気的に接続する接続ユニットであって、被測定デバイス搭載ボードと対向して設けられる保持基板と、保持基板上における位置が変更可能に保持基板上に設けられ、被測定デバイス搭載ボードが備えるパフォーマンスボード側コネクタと接続されるべき接続ユニット側コネクタとを備えることを特徴とする接続ユニットを提供する。
【００１８】
被測定デバイス搭載ボードの種類によりパフォーマンスボード側コネクタが異なる配設位置の場合、異なる配設位置に対応する位置へ接続ユニット側コネクタを移動して保持可能な構造を保持基板が備えてよい。
【００１９】
接続ユニットに備える保持基板は接続ユニット側コネクタを着脱することが可能であり、接続ユニット側コネクタを保持基板から取り外して、パフォーマンスボード側コネクタの配設位置が異なる他の被測定デバイス搭載ボードに対応した配設位置関係となる他の保持基板に交換可能な構造を当該保持基板が備えてよい。
【００２０】
接続ユニットは、保持基板上における互いの距離が変更可能なように保持基板上に設けられた複数の接続ユニット側コネクタを備えることが好ましい。また、接続ユニット側コネクタは、接続ユニットと被測定デバイス搭載ボードとが接続した場合のＩＣソケットの載置位置に対する、距離が変更可能に設けられていてよい。
【００２１】
また、接続ユニットは、一端が接続ユニット側コネクタに固定され、接続ユニット側コネクタと試験装置とを電気的に接続する接続ケーブルを更に備え、保持基板は、接続側ユニット側コネクタを保持するべき位置に、接続ユニット側コネクタが通過可能な大きさの貫通孔を有してよい。
【００２２】
また、接続ユニットは、一端が前記接続ユニット側コネクタに固定され、接続ユニット側コネクタと試験装置とを電気的に接続する接続ケーブルを更に備え、保持基板は、接続ユニット側コネクタの変更可能な複数の位置の間に渡って設けられ、接続ケーブルが通過する貫通孔を有してよい。
【００２３】
また、保持基板は、接続ユニットと被測定デバイス搭載ボードとが接続した場合のＩＣソケットの載置位置を中心として、径方向及び周方向のいずれにも位置を変更可能に、接続ユニット側コネクタを保持してよい。
【００２４】
また、保持基板と略平行な面におけるＩＣソケット及び接続ユニット側コネクタの断面は、それぞれ長方形であり、径方向において、接続ユニット側コネクタを、ＩＣソケットの載置位置に最も近い位置に保持する場合、保持基板は、接続ユニット側コネクタの断面の長辺が、ＩＣソケットの断面の最も近い辺と対向するように、接続ユニット側コネクタを保持してよい。
【００２５】
また、保持基板は、保持基板上における予め定められた複数の位置にそれぞれ設けられ、接続ユニット側コネクタが変更可能な位置を指定する複数のコネクタ位置決め部材を有してよい。
【００２６】
また、接続ユニット側コネクタは、互いに嵌合する溝及び突起の一方を有し、複数のコネクタ位置決め部材は、溝及び突起の他方を有し、保持基板は、接続ユニット側コネクタの溝又は突起と、コネクタ位置決め部材の溝又は突起とを嵌合させることにより、接続ユニット側コネクタを保持してよい。
【００２７】
また、被測定デバイス搭載ボードは、複数のＩＣソケットを載置し、接続ユニットは、複数のＩＣソケットに対応して設けられた複数の接続ユニット側コネクタを備え、保持基板は、複数の接続ユニット側コネクタのそれぞれを、保持基板上における位置が変更可能に保持してよい。
【００２８】
また、接続ユニットは、保持基板上に設けられ、径が予め定められた大きさ以下である被測定デバイス搭載ボードを保持するべき位置を定める小径パフォーマンスボード位置決め部材と、保持基板上において、小径パフォーマンスボード位置決め部材より、ＩＣソケットの載置位置から遠い位置に設けられ、径が予め定められた大きさより大きい被測定デバイス搭載ボードを保持するべき位置を定める大径パフォーマンスボード位置決め部材とを更に備えてよい。
【００２９】
本発明の第２の形態においては、電子デバイスと、前記電子デバイスを試験する試験装置とを電気的に接続する被測定デバイス搭載ボードであって、電子デバイスを保持するＩＣソケットと、ＩＣソケットを保持するソケット基板と、電子デバイスに供給する試験信号を試験装置から受け取り、ＩＣソケットに供給する高周波信号用コネクタと、高周波信号用コネクタより、ＩＣソケットから遠い位置に設けられ、高周波信号用コネクタがＩＣソケットに供給する試験信号より周波数の低い信号を試験装置から受け取り、ＩＣソケットに供給する低周波信号用コネクタとを備えることを特徴とする被測定デバイス搭載ボードを提供する。
【００３０】
ソケット基板は、低周波信号用コネクタに電気的に接続し、高周波信号用コネクタに電気的に接続し、ソケット基板の高周波信号用コネクタが設けられた下面から、ソケット基板の上面に達しない中層位置まで形成された高周波用片面ホールと、ソケット基板において、高周波用片面ホールよりソケット基板の外周側に設けられ、ソケット基板の低周波信号用コネクタが設けられた下面から、ソケット基板の電子デバイスを載置する上面まで貫通した低周波用スルーホールとを有してよい。
【００３１】
ソケット基板は、電子デバイスの高周波信号用ピンに電気的に接続し、ソケット基板の上面から下面まで貫通した高周波用スルーホールと、ソケット基板において、高周波用スルーホールよりソケット基板の外周側に設けられ、電子デバイスの低周波信号用ピンに電気的に接続し、ソケット基板の上面から、ソケット基板の下面に達しない中層位置まで形成された低周波用片面ホールとを更に有してよい。
【００３２】
ソケット基板は、深さ方向における複数の層に配線が形成されており、複数の層のいずれかに形成され、低周波用スルーホールと低周波用片面ホールとを電気的に接続する低周波信号用配線と、複数の層のうち、低周波信号用配線が形成された層よりソケット基板の下面側の層に形成され、高周波用片面ホールと高周波用スルーホールとを電気的に接続する高周波信号用配線とを更に有してよい。
【００３３】
本発明の第３の形態においては、電子デバイスと、電子デバイスを試験する試験装置とを電気的に接続する被測定デバイス搭載ボードであって、複数の層に配線が形成されたソケット基板と、ソケット基板の下面に設けられ、電子デバイスに供給する試験信号を試験装置から受け取るコネクタとを備え、ソケット基板は、ソケット基板のいずれかの層に形成され、試験信号を電子デバイスに伝送する信号用配線と、信号用配線よりソケット基板の上面側の層に形成され、それぞれ接地電位に接続される複数の上層ＧＮＤ配線と、信号用配線よりソケット基板の下面側の層に形成され、それぞれ接地電位に接続される下層ＧＮＤ配線と、ソケットの下面から、ソケットの上面に向かって形成され、コネクタと、信号用配線とを電気的に接続する片面ホールとを有し、複数の上層ＧＮＤ配線のうちの少なくとも一部と、片面ホールとの水平方向における距離は、下層ＧＮＤ配線と片面ホールとの水平方向における距離より大きいことを特徴とする被測定デバイス搭載ボードを提供する。
【００３４】
複数の上層ＧＮＤ配線のうち、最も信号用配線に近い上層ＧＮＤ配線と片面ホールとの水平方向における距離は、下層ＧＮＤ配線と片面ホールとの水平方向における距離と略同一であり、他の上層ＧＮＤ配線と片面ホールとの水平方向における距離より小さいことが好ましい。また、片面ホールは、ソケットの下面から、ソケットの上面に達しない中層位置まで形成されてよい。
【００３５】
本発明の第４の形態においては、電子デバイスと、電子デバイスを試験する試験装置とを電気的に接続する被測定デバイス搭載ボードであって、複数の層に配線が形成されたソケット基板と、ソケット基板の下面に設けられ、電子デバイスに供給する試験信号を試験装置から受け取るコネクタとを備え、ソケット基板は、ソケット基板のいずれかの層に形成され、試験信号を電子デバイスに伝送する信号用配線と、ソケットの下面から、ソケットの上面に達しない中層位置まで形成され、コネクタと、信号用配線とを電気的に接続する片面ホールと、信号用配線と異なる複数の層において、片面ホールをソケット基板の上面まで延長した場合に、片面ホールが形成される領域以外に形成され、それぞれ接地電位に接続される複数のＧＮＤ配線とを有することを特徴とする被測定デバイス搭載ボードを提供する。
【００３６】
また、本発明の第５の形態においては、ＩＣ試験装置において被測定デバイスを試験する電気信号をインタフェースするために使用されるボードであって、多層プリント配線板構造を有し、内層配線パターンの両端のいずれか一方がスルーホールと接続され、残る他方がＳＶＨ（Surface Buried Via Hole)と接続され、内層配線パターンの層を挟むように上下に接地層を備え、ＳＶＨの周辺部の接地層は、当該ＳＶＨのスタブ部位の存在に伴う伝送特性の劣化を低減するように、当該スタブ部位と接地層との距離を形成し、それら接続されたＳＶＨ、内層配線パターン及びスルーホールによって表裏両面間の配線が構成されていることを特徴とする被測定デバイス搭載ボードを提供する。
【００３７】
被測定デバイス搭載ボードは、内層配線パターンの層と接地層を有する複数層構成の複数層プリント基板を備え、少なくとも２枚の複数層プリント基板を貼り合わせた後に、内層配線パターンの両端の一方と接続されるスルーホールを形成して多層プリント配線板を形成し、複数層プリント基板の段階で形成された所定のスルーホールを、内層配線パターンの両端の他方と接続されるＳＶＨとして適用し、内線配線パターンの導体幅と、上下の接地層の距離とに基づいて、所定の特性インピーダンスを形成してよい。
【００３８】
また、本発明の第６の形態においては、テストヘッドと被測定デバイスとの間を通過する電気信号をインタフェースするＩＣ試験装置のデバイスインタフェース部において、被測定デバイスを試験する電気信号をインタフェースするために使用する被測定デバイス搭載ボードが、多層プリント配線板構造を有し、内層配線パターンの両端のいずれか一方がスルーホールと接続され、残る他方がＳＶＨ（Surface Buried Via Hole)と接続され、内層配線パターンの層を挟むように上下に接地層を備え、ＳＶＨの周辺部の接地層は、当該ＳＶＨのスタブ部位の存在に伴う伝送特性の劣化を低減するように、当該スタブ部位と接地層との距離を形成し、それら接続されたＳＶＨ、内層配線パターン及びスルーホールによって表裏両面間の配線が構成されていることを特徴とするデバイスインタフェース部を提供する。
【００３９】
尚、上記の発明の概要は、本発明の必要な特徴の全てを列挙したものではなく、これらの特徴群のサブコンビネーションも又、発明となりうる。
【発明を実施するための最良の形態】
【００４０】
以下、発明の実施の形態を通じて本発明を説明するが、以下の実施形態は特許請求の範囲にかかる発明を限定するものではなく、又実施形態の中で説明されている特徴の組み合わせの全てが発明の解決手段に必須であるとは限らない。
【００４１】
図１はこの発明による被測定デバイス搭載ボードの一実施例を模式的に示したものであり、図１５と対応する部分には同一符号を付し、その詳細な説明を省略する。
【００４２】
この例では多層プリント配線板構造を有する被測定デバイス搭載ボード５０は、その上下面の電極パッド２１、２２と内層配線パターン２４との接続に、スルーホール２３とＳＶＨ（Surface Buried Via Hole)５１とを用いるものとされる。
【００４３】
各内層配線パターン２４の両端は、そのいずれか一方がスルーホール２３と接続され、残る他方がＳＶＨ５１と接続されており、これら接続されたＳＶＨ５１、内層配線パターン２４及びスルーホール２３によって上下面の対応する電極パッド２１、２２間の配線が構成されている。
【００４４】
図１では内層配線パターン２４を模式的に３本示しているが、このうち２本は被測定デバイス４０接続用の電極パッド２１部分にＳＶＨ５１が形成されたものとなっており、残る１本はコネクタ１５接続用の電極パッド２２部分にＳＶＨ５１が形成されたものとなっている。内層配線パターン２４の両端のいずれの側にＳＶＨ５１を設けるかは、例えば内層配線パターン２４の配線位置や被測定デバイス４０接続側の電極パッド２１のピッチ等を考慮して適宜選定される。
【００４５】
上記のような構成を有する被測定デバイス搭載ボード５０によれば、内層配線パターン２４の両端のいずれか一方にＳＶＨ５１を採用したことにより、図１５に示した従来の被測定デバイス搭載ボード２０に比し、ＳＶＨ５１を用いた分、スタブ部分２５の長さを短くすることができ、よってスタブ部分２５の容量を減らすことができるため、信号の高速化に対応することができるものとなる。
【００４６】
なお、図１に示したような構造を有する被測定デバイス搭載ボード５０で、ＳＶＨ５１を構成するためには、一方の配線板にのみバイアホール（ビアホール）を形成した後、２枚の配線板（基板）を貼り合わせることによって製造される。図１中、二点鎖線は貼り合わせ部（貼り合わせ面）５２を示す。
【００４７】
図２はこの発明による被測定デバイス搭載ボードの他の実施例として、内層配線パターン２４の一部に例えば抵抗素子等を実装する必要があり、内層配線パターン２４の途中にＳＶＨ５１を設けた例を示したものである。図２中、５３は抵抗素子等の素子を示す。素子５３はＳＶＨ５１が形成された一対の電極パッド５４に実装されている。
【００４８】
この図２に示したような被測定デバイス搭載ボード５５も要求される仕様に応じて用いられる。なお、この被測定デバイス搭載ボード５５は上述した被測定デバイス搭載ボード５０の製造方法と同様の製造方法によって製造することができる。
【００４９】
図３は図１及び２に示した被測定デバイス搭載ボード５０、５５の構造と異なり、ＳＶＨ５１を構成するためにバイアホールが形成された２枚の配線板の間に第３の配線板を介在させ、それら３枚の配線板を貼り合わせた構造の被測定デバイス搭載ボード５６を示したものであり、このような構造を採用すれば図１に示した被測定デバイス搭載ボード５０に比し、さらにスタブ部分２５の容量を削減することができる。
【００５０】
上述した被測定デバイス搭載ボード５０、５５及び５６は図１４に示したＩＣ試験装置のデバイスインタフェース部３においてパフォーマンスボードと称されて用いられるものであるが、デバイスインタフェース部３の構造はこの図１４に示した構造に限られず、ＩＣ試験装置の使用・用途により他の構成を採用しているものもある。
【００５１】
図４（ａ）、（ｂ）はそのようなデバイスインタフェース部３の他の構成例をテストヘッド２と共に示したものであり、以下、これらの構成を簡単に説明する。
【００５２】
図４（ａ）ではデバイスインタフェース部３はパフォーマンスボード６０と、図１４と同様の多数のケーブル１２と、一般にソケットボードと称される複数の被測定デバイス搭載ボード５７と、ＩＣソケット３２０とよりなる。
【００５３】
パフォーマンスボード６０はその下面にテストヘッド２との接続用のコネクタ（図示せず）を具備しており、テストヘッド２とコネクタ接続されてテストヘッド２上に搭載されている。この例ではパフォーマンスボードと称されるボードの位置は図１４と異なっている。
【００５４】
ケーブル１２はその下端及び上端がパフォーマンスボード６０及び被測定デバイス搭載ボード５７にそれぞれ半田付けされて接続されており、各被測定デバイス搭載ボード５７上にはＩＣソケット３２０が実装されている。被測定デバイス搭載ボード５７の数は図４（ａ）では簡略化しているが、例えば１６個や３２個とされる。
【００５５】
一方、図４（ｂ）ではデバイスインタフェース部３は多数のケーブル１２よりなるマザーボード（マザーボードユニット）７０と、図４（ａ）と同様、ソケットボードと称される複数の被測定デバイス搭載ボード５７と、それら被測定デバイス搭載ボード５７にそれぞれ実装されたＩＣソケット３２０とよりなる。
【００５６】
この例ではケーブル１２はその下端及び上端にコネクタ（図示せず）をそれぞれ具備するものとされ、下端がテストヘッド２に直接コネクタ接続され、上端が被測定デバイス搭載ボード５７にコネクタ接続されるものとなっている。
【００５７】
図１乃至図３に示したようなこの発明による被測定デバイス搭載ボードの構造は、これら図４（ａ）、（ｂ）に示したデバイスインタフェース部３の、一般にソケットボードと称される被測定デバイス搭載ボード５７にも同様に適用することができ、これにより高速信号に対応できるものとなる。
【００５８】
図５は、被測定デバイス搭載ボードの一例である、パフォーマンスボード３００の詳細な構成の例を示す図である。図５は、パフォーマンスボード３００の断面図を示す。パフォーマンスボード３００は、図１から図４に関連して説明した被測定デバイス搭載ボード（５０、５５、５６、及び５７）と同一又は同様の機能及び構成を有し、電子デバイス３１０（被測定デバイス４０）と、電子デバイス３１０を試験する試験装置とを電気的に接続する。
【００５９】
パフォーマンスボード３００は、ＩＣソケット３２０、ソケット基板３５０、複数の高周波信号用コネクタ３７０、及び複数の低周波信号用コネクタ３７２とを備える。
【００６０】
ＩＣソケット３２０は、電子デバイス３１０を保持し、電子デバイス３１０の各ピンと、パフォーマンスボード３００の各ピンとを電気的に接続する。また、ソケット基板３５０は、ＩＣソケット３２０をソケット基板３５０の上面に保持し、ＩＣソケット３２０を介して電子デバイス３１０と電気的に接続される。また、ソケット基板３５０は、接続ユニット１００（図１０参照）を介して試験装置２００（図１０参照）と電気的に接続する。
【００６１】
複数の高周波信号用コネクタ３７０及び複数の低周波信号用コネクタ３７２は、ソケット基板３５０の下面に設けられ、電子デバイス３１０に供給するべき試験紙信号を接続ユニット１００を介して試験装置２００から受け取り、ソケット基板３５０及びＩＣソケット３２０を介して電子デバイス３１０に供給する。
【００６２】
本例において、ソケット基板３５０の面のうち、電子デバイス３１０と対向する面を上面とし、試験装置２００と対向する面を下面として説明しているが、他の例においては、試験装置２００と対向する面を上面とし、電子デバイス３１０と対向する面を下面としてもよい。
【００６３】
また、低周波信号用コネクタ３７２は、高周波信号用コネクタ３７０より、ＩＣソケット３２０から遠い位置に設けられ、高周波信号用コネクタ３７０がＩＣソケット３２０に供給する試験信号より周波数の低い信号を接続ユニット１００を介して試験装置２００から受け取る。
【００６４】
ソケット基板３５０は、深さ方向における複数の層に、低周波信号用配線３７６、高周波信号用配線３８０、及びＧＮＤ配線が形成されている。低周波信号用配線３７６、及び高周波信号用配線３８０は、図１から図４において説明した内層配線パターン２４の一例である。
【００６５】
また、ソケット基板３５０には、複数の層に渡って低周波用スルーホール３７４、高周波用スルーホール３６２、低周波用片面ホール３６０、高周波用片面ホール３８２、及びＧＮＤ用スルーホール３８４が設けられている。
【００６６】
低周波用スルーホール３７４、高周波用スルーホール３６２、及びＧＮＤ用スルーホール３８４は、図１から図４に関連して説明したスルーホール２３の一例であり、低周波用片面ホール３６０、及び高周波用片面ホール３８２は図１から図４に関連して説明したＳＶＨ５１の一例である。
【００６７】
低周波用スルーホール３７４は、低周波信号用コネクタ３７２に電気的に接続し、ソケット基板３５０の低周波信号用コネクタ３７２が設けられた下面から、ソケット基板３５０の電子デバイス３１０を載置する上面まで貫通して設けられる。本例において低周波用スルーホール３７４は、高周波用片面ホール３８２、低周波用片面ホール３６０、及び高周波用スルーホール３６２よりソケット基板３５０の外周側に設けられる。
【００６８】
また、低周波用片面ホール３６０は、前述したＳＶＨ５１であって、電子デバイス３１０の低周波信号用ピンに電気的に接続し、ソケット基板３５０の上面から、ソケット基板３５０の下面に達しない中層位置まで形成される。本例において、低周波用片面ホール３６０は、高周波用スルーホール３６２よりソケット基板３５０の外周側に設けられる。
【００６９】
そして、低周波信号用配線３７６は、ソケット基板３５０の複数の層のいずれかに形成され、低周波用スルーホール３７４と低周波用片面ホール３６０とを電気的に接続し、低周波の試験信号を伝送する。ソケット基板３５０には、複数の層にＧＮＤ配線３７８が形成されており、低周波信号用配線３７６は、いずれかのＧＮＤ配線３７８の間に形成される。
【００７０】
このような構成により、ソケット基板３５０は、低周波の試験信号を電子デバイス３１０に供給することができる。また、ＩＣソケット３２０と電気的に接続するために低周波用片面ホール３６０としてＳＶＨを用いているため、試験信号の伝送に寄与しないスタブ部分の領域を低減することができるため、試験信号を精度よく伝送することができる。
【００７１】
高周波用片面ホール３８２は、前述したＳＶＨ５１であって、高周波信号用コネクタ３７０に電気的に接続し、ソケット基板３５０の高周波信号用コネクタ３７０が設けられた下面から、ソケット基板３５０の上面に達しない中層位置まで形成される。
【００７２】
また、高周波用スルーホール３６２は、電子デバイス３１０の高周波信号用ピンに電気的に接続し、ソケット基板３５０の上面から下面まで貫通して形成される。そして、高周波信号用配線３８０は、ソケット基板３５０の複数の層のうち、低周波信号用配線３７６が形成された層よりソケット基板３５０の下面側の層に形成され、高周波用片面ホール３８２と高周波用スルーホール３６２とを電気的に接続し、高周波の試験信号を伝送する。高周波用片面ホール３８２が上部層の低周波信号用配線３７６の邪魔にならず、また低周波用片面ホール３６０が下部層の高周波信号用配線３８０の邪魔とならないため、高密度のパターン配線が可能となる利点が得られる。
【００７３】
このような構成により、高周波の試験信号を電子デバイス３１０に供給することができる。また、高周波用片面ホール３８２としてＳＶＨを用いているため、試験信号の伝送に寄与しないスタブ部分の領域を低減することができるため、試験信号を精度よく伝送することができる。更に、高周波用片面ホール３８２を、低周波用スルーホール３７４より内側に設けることにより、高周波の試験信号の伝送経路長を短くすることができ、更に精度よく試験信号を伝送することができる。
【００７４】
また、複数の層に形成されたＧＮＤ配線３７８は、ＧＮＤ層のほぼ全面に形成される全面ベタの接地面であって、ＧＮＤ用スルーホール３８４と電気的に接続され、ＧＮＤ用スルーホール３８４を介して接地電位に接続される。また、図５においては一のＧＮＤ用スルーホール３８４のみを図示しているが、複数のＧＮＤ用スルーホール３８４は、ソケット基板３５０の全面に必要なピッチで設けられる。また、高周波用片面ホール３８２等の片面ホールやスルーホールの近傍に設けられる。
【００７５】
図６は、ソケット基板３５０の断面の拡大図の例を示す図である。前述したようにソケット基板３５０には、深さ方向における複数の層にＧＮＤ配線３７８が形成され、低周波信号用配線３７６又は高周波信号用配線３８０の信号用配線は、ＧＮＤ配線３７８の間の層に形成されて、例えば５０Ωの特性インピーダンスとなる。
【００７６】
また、ソケット基板３５０のＧＮＤ層において、低周波用スルーホール３７４、高周波用片面ホール３８２、低周波用片面ホール３６０、及び高周波用スルーホール３６２が形成される領域においては、これらのスルーホール又は片面ホールとＧＮＤ配線３７８との間において、予め所定のパターンをそれぞれのＧＮＤ層に形成する必要がある。つまり、それぞれのＧＮＤ層の水平方向において、スルーホール又は片面ホールと、ＧＮＤ配線３７８とが、所定の間隔を有して形成される必要がある。本例において、スルーホール又は片面ホールの直径は０．３ｍｍ〜０．３５ｍｍ程度で形成される。
【００７７】
図６（ａ）は、低周波用スルーホール３７４の近傍の拡大図の一例を示す図である。本例においては、それぞれのＧＮＤ層における、低周波用スルーホール３７４と同心円であって、低周波用スルーホール３７４より直径が大きい円状の領域においては、ＧＮＤ配線３７８が存在しないように形成される。本例においては、それぞれのＧＮＤ層において、低周波用スルーホール３７４と同心円であって、直径が０．７５ｍｍの円状の領域には、ＧＮＤ配線３７８が形成されない。
【００７８】
図６（ｂ）は、低周波用スルーホール３７４の近傍の拡大図の他の例を示す図である。本例においては、図６（ａ）において説明した例より、それぞれのＧＮＤ層において、直径の大きい円状の領域に、ＧＮＤ配線３７８が形成されない。本例においては、直径１．２５ｍｍの円状の領域にＧＮＤ配線３７８が形成されない。このような構成にすることにより、低周波用スルーホール３７４とＧＮＤ配線３７８との距離を広げることができ、低周波用スルーホール３７４とＧＮＤ配線３７８間に生じる容量成分を低減でき、試験信号を精度よく伝送することができる。また、高周波用スルーホール３６２の近傍においては、図６（ｂ）と同様の構成を有することが望ましい。
【００７９】
図６（ｃ）は、高周波用片面ホール３８２の近傍の拡大図の一例を示す図である。図６（ｃ）に示すように、高周波用片面ホール３８２又は低周波用片面ホール３６０の片面ホールは、ソケット基板３５０を貫通せずに形成される。このため、片面ホールをソケット基板３５０の上面又は下面まで延長した場合に、片面ホールが形成される領域にはＧＮＤ配線３７８が形成される。
【００８０】
また、前述したように、ソケット基板３５０は片面ホールを貫通孔として形成した複数の基板を貼り合わせて形成するため、片面ホール（ＳＶＨ）の深さ方向における長さは、それぞれ一定となる。このため、深さの異なるそれぞれの層における信号用配線と電気的に接続した場合、ＳＶＨを用いた場合であっても、試験信号の伝送に寄与しないスタブ部分が生じてしまう。
【００８１】
ここで、複数のＧＮＤ配線３７８を、高周波信号用配線３８０よりソケット基板３５０の上面側の層に形成される上層ＧＮＤ配線３７８−２と、高周波信号用配線３８０よりソケット基板３５０の下面側の層に形成される下層ＧＮＤ配線３７８−１とに分割する。
【００８２】
図６（ｃ）に示すように、複数の上層ＧＮＤ配線３７８−２のうちの少なくとも一部と、高周波用片面ホール３８２との水平方向における距離が、下層ＧＮＤ配線３７８−１と高周波用片面ホール３８２との水平方向における距離より大きくなるように形成することにより、スタブ部分における容量成分を低減することができる。つまり、下層ＧＮＤ配線３７８−１が形成されるべき層の、高周波用片面ホール３８２が形成される領域において、下層ＧＮＤ配線３７８−１が形成されない円状領域の直径をｘとすると、ｘが１．２５ｍｍより小さくなるように形成されることが好ましい。
【００８３】
また、複数の上層ＧＮＤ配線３７８−２のうち、最も高周波信号用配線３８０に近い上層ＧＮＤ配線３７８−２と、高周波用片面ホール３８２との水平方向における距離は、下層ＧＮＤ配線３７８−１と高周波用片面ホール３８２との水平方向における距離と略同一であり、他の上層ＧＮＤ配線３７８−２と高周波用片面ホール３８２との水平方向における距離より小さいことが好ましい。このような構成にすることにより、高周波信号用配線３８０におけるノイズの影響を低減しつつ、スタブ部分における容量成分を低減することができる。
【００８４】
図７は、図６において説明したそれぞれの例において生じる、反射成分の計測結果の一例を示す図である。図７において縦軸は反射成分の大きさを示し、横軸は反射成分が生じる位置を示す。また、図７において（ａ）は図６（ａ）に示した例における反射成分、（ｂ）は図６（ｂ）に示した例における反射成分、（ｃ）は図６（ｃ）に示した例における反射成分の大きさを示す。
【００８５】
図７に示すように、図６（ａ）に示した例においては、片面ホールのスタブ部分では、試験信号に対して−１９．５％の反射成分が生じている。これに対し、図６（ｂ）に示した例においては、試験信号に対して−１２．５％の反射成分が生じており、片面ホールとＧＮＤ配線３７８との間隔を広げたことにより、反射成分が低減していることがわかる。
【００８６】
また、図６（ｃ）に示した例においては、試験信号に対して−７．２％の反射成分が生じており、スルーホールに代えて片面ホール（ＳＶＨ）を用い、図６（ｃ）のようにＧＮＤ配線３７８を形成することにより、更に反射成分が低減していることがわかる。
【００８７】
図８は、高周波用片面ホール３８２の近傍の拡大図の他の例を示す図である。本例においては、領域３９０におけるＧＮＤ配線３７８が除去された形態例である。このような構成とすることにより、スタブ部分の上側に形成されたＧＮＤ配線３７８と高周波用片面ホール３８２との間に生じる容量成分が低減されて、更に精度よく試験信号を伝送することができる。
【００８８】
また、本例においては、それぞれのＧＮＤ層において、ＧＮＤ配線３７８が形成されない円状の領域の直径を１．５ｍｍとして形成する。当該円状の領域の直径は、高周波信号用配線３８０と隣接するＧＮＤ層を除き、できるだけ大きいことが好ましいが、前述したようにソケット基板３５０の全面にＧＮＤ用スルーホール３８４が形成され、隣接して存在しているため、その大きさが制限される。つまり、それぞれのＧＮＤ層においてＧＮＤ配線３７８が形成されない円状の領域の直径は、ソケット基板３５０の全面に形成されるＧＮＤ用スルーホール３８４と所定のマージンを有して重ならない範囲で、最大となるように形成されることが好ましい。
【００８９】
図９は、被測定デバイス搭載ボードの一例である、プローブカード４００の詳細な構成の例を示す図である。図９は、プローブカード４００の断面図を示す。図５から図８においては、パフォーマンスボード３００を用いて電子デバイス３１０と電気的に接続したが、パフォーマンスボード３００に代えて、プローブカード４００を用いて電子デバイス３１０と電気的に接続してもよい。
【００９０】
この場合、プローブカード４００は、パフォーマンスボード３００と同様の機能及び構成を有する。本例において、プローブカード４００は、パフォーマンスボード３００の構成において、ＩＣソケット３２０に代えて、電子デバイス３１０の端子と電気的に接続する複数のプローブピン３６４を備える。この場合、ソケット基板３５０は、プローブピン３６４を保持するプローブ基板として機能する。また、プローブカード４００を用いた場合、電子デバイス３１０は、パッケージされていないウェハ形状で試験することができる。
【００９１】
次に、パフォーマンスボード３００又はプローブカード４００と試験装置本体とを接続する接続ユニットについて説明する。接続ユニットは、例えば図４において説明したマザーボード７０の一例である。
【００９２】
図１０は、電子デバイスの試験を説明する図である。図４において説明したように、試験されるべき電子デバイス３１０は、被測定デバイス搭載ボードの一例であるパフォーマンスボード３００に載置される。パフォーマンスボード３００は、図５から図８において説明したパフォーマンスボード３００と同一又は同様の機能及び構成を有する。試験装置２００は、半導体素子等の電子デバイス３１０を試験するための試験信号を生成する。また、接続ユニット１００は、試験装置２００とパフォーマンスボード３００とを電気的に接続し、試験信号をパフォーマンスボード３００に載置された電子デバイス３１０に供給する。
【００９３】
試験装置２００は、電子デバイス３１０に対応する所望のパターンを有する試験信号を生成し、接続ユニット１００、及びパフォーマンスボード３００を介して電子デバイス３１０に供給する。また、試験装置２００は、電子デバイス３１０から出力される出力信号を、接続ユニット及びパフォーマンスボード３００を介して受け取る。試験装置２００は、電子デバイス３１０に対応する期待値信号を発生し、受け取った出力信号と比較し、電子デバイス３１０の良否を判定する。
【００９４】
パフォーマンスボード３００は、ソケット基板３５０、ＩＣソケット３２０、複数のパフォーマンスボード側コネクタ３３０、及び複数の信号配線３４０を備える。パフォーマンスボード３００は、接続ユニット１００と対向する面に複数のパフォーマンスボード側コネクタ３３０を保持し、当該対向する面の上面にＩＣソケット３２０を保持する。パフォーマンスボード側コネクタ３３０は、例えば図５において説明した高周波信号用コネクタ３７０及び低周波信号用コネクタ３７２である。
【００９５】
ＩＣソケット３２０は、電子デバイス３１０を保持する。また、ＩＣソケット３２０は、電子デバイス３１０のそれぞれのピンと電気的に接続する端子を有する。
【００９６】
複数のパフォーマンスボード側コネクタ３３０は、試験装置２００から接続ユニット１００を介して、電子デバイス３１０に供給するべき試験信号を受け取り、信号配線３４０を介してＩＣソケット３２０に供給する。また、電子デバイス３１０の出力信号をＩＣソケット３２０から受け取り、接続ユニット１００に供給する。ここで、信号配線３４０は、図５において説明した、高周波信号用配線３８０、高周波用片面ホール３８２、高周波用スルーホール３６２、低周波用スルーホール３７４、低周波信号用配線３７６、及び低周波用片面ホール３６０に該当する。
【００９７】
本例において、ＩＣソケット３２０の近傍に設けられたパフォーマンスボード側コネクタ３３０ｃは、電子デバイス３１０に供給するべき試験信号のうち、高周波の試験信号を受け取り、ＩＣソケット３２０に供給する高周波信号用ソケット３７０として機能する。また、パフォーマンスボード側コネクタ３３０ｃより、ＩＣソケット３２０から遠い位置に設けられたパフォーマンスボード側コネクタ（３３０ａ、３３０ｂ）は、パフォーマンスボード側コネクタ３３０ｃがＩＣソケット３２０に供給する試験信号より周波数の低い信号を、接続ユニット１００を介して試験装置２００から受け取り、ＩＣソケット３２０に供給する低周波信号用コネクタ３７２として機能する。
【００９８】
これらのパフォーマンスボード側コネクタ３３０の位置は、電子デバイス３１０のＩＣピン数、ＩＣピン配列に対応して変わる。また、より高周波の信号を受け取るパフォーマンスボード側コネクタ３３０は、ＩＣソケット３２０のより近傍に設けられる。従って、ＩＣソケット３２０との距離が、電子デバイス３１０によって変わる。なお、ＩＣソケット３２０から遠い位置に設けられるパフォーマンスボード側コネクタ（３３０ａ、３３０ｂ）は、電子デバイス３１０の電源電圧に供してもよい。
【００９９】
本例におけるパフォーマンスボード３００によれば、受け取る信号の周波数に応じた位置にパフォーマンスボード側コネクタ３３０が設けられているため、良好な伝送特性で電子デバイス３１０に信号を供給することができる。パフォーマンスボード３００は、電子デバイス３１０のＩＣピン数、ＩＣピン配列に対応してパフォーマンスボード側コネクタ３３０の位置が変更されたボードが制作される。
【０１００】
接続ユニット１００は、保持基板３０、複数の接続ユニット側コネクタ６４、及び複数の接続ケーブル（６６ａ、６６ｂ、６６ｃ）を備える。保持基板３０は、複数の接続ユニット側コネクタ６４を所定の位置に固定する構造体であって、パフォーマンスボード３００と対向して設けられる。また、保持基板３０は、パフォーマンスボード３００と対向する面において、複数の接続ユニット側コネクタ６４を保持する。
【０１０１】
複数の接続ユニット側コネクタ（６４ａ、６４ｂ、６４ｃ）は、共通的に再利用できるように保持基板３０上から着脱可能であり、保持基板３０上に設けられ、パフォーマンスボード３００が備えるパフォーマンスボード側コネクタ（３３０ａ、３３０ｂ、３３０ｃ）と接続する。例えば、複数の接続接続ユニット側コネクタ６４は、接続するべきパフォーマンスボード３００におけるパフォーマンスボード側コネクタ３３０の位置に対応する、保持基板３０に変換することで複数の接続ユニット側コネクタ６４はそのまま使用できる。
【０１０２】
それぞれの接続ケーブル６６は、一端が対応する接続ユニット側コネクタ６４に固定され、接続ユニット側コネクタ６４と試験装置２００とを電気的に接続する。試験装置２００は、接続ケーブル６６の他端と接続し、この接続を介して接続ユニット１００に試験信号を供給し、接続ケーブル６６を介して接続ユニット１００から電子デバイス３１０が出力した出力信号を受け取る。
【０１０３】
本例における接続ユニット１００によれば、安価な保持基板３０を取り換えるのみで、パフォーマンスボード側コネクタ３３０の配置の異なる複数種類のパフォーマンスボード３００と接続することができる。このため、複数の接続ユニット側コネクタ６４はそのままで、繰り返し再利用可能となる大きな利点が得られる。
【０１０４】
また、本例においてはパフォーマンスボード３００を用いて電子デバイス３１０に試験信号を供給したが、他の例においては、図９において説明したように、プローブカード４００を用いて電子デバイス３１０に試験信号を供給してもよい。
【０１０５】
図１１は、保持基板３０の上面図の一例を示す。接続ユニット１００と、パフォーマンスボード３００とが接続した場合、電子デバイス３１０は、載置位置３１２に載置される。
【０１０６】
複数の接続ユニット側コネクタ６４（図１０参照）は、着脱可能であり、複数の配置位置３４に移動させることも可能である。例えば、図１１に示すように複数の接続ユニット側コネクタ６４の保持基板３０上における互いの距離が変更可能なように、保持基板３０上に複数の配置位置３４が設けられる。また、図１１に示すように、複数の接続ユニット側コネクタ６４の、ＩＣソケット３２０の載置位置３１２に対する距離が変更可能なように、保持基板３０上に複数の配置位置３４が設けられる。また、パフォーマンスボード３００に代えてプローブカードを用いる場合、ＩＣソケット３２０の載置位置３１２は、プローブピンの実装位置となる。
【０１０７】
また保持基板３０は、それぞれの配置位置３４に、接続ユニット側コネクタ６４を保持するための位置決め部材４２を有する。これにより、接続ユニット側コネクタ６４が変更可能な配置位置３４を指定する。
【０１０８】
また保持基板３０は、それぞれの配置位置３４に、接続ユニット側コネクタ６４が通過可能な大きさの貫通孔３２を有する。貫通孔３２は、保持基板３０の、パフォーマンスボード３００と対向する面から、試験装置２００と対向する面に渡って設けられる。接続ユニット側コネクタ６４の装着位置を移動する場合に、接続ユニット側コネクタ６４を、貫通孔３２を介して試験装置２００側に通過させて外し、移動するべき配置位置３４に対応する貫通孔３２を介してパフォーマンスボード３００側に通過させて装着する。これにより、接続ケーブル６６（図１０参照）が接続ユニット側コネクタ６４に固定されている場合であっても、所望の位置に接続ユニット側コネクタ６４を移動させることができる。従って、繰り返し再利用が可能となる大きな利点がある。
【０１０９】
また、貫通孔３２は、複数の配置位置３４に渡って設けられていてよい。つまり、貫通孔３２の開口部が複数の配置位置３４に渡って設けられていてよい。例えば、図１１に示す貫通孔３２−１の開口部と貫通孔３２−４の開口部とを接続して、一つの貫通孔としてもよい。この場合、接続ユニット側コネクタ６４を、配置位置３４−１から配置位置３４−４に移動する場合に、配置位置３４−１から配置位置３４−４まで、接続ケーブル６６が貫通孔を通過できるため、容易に接続ユニット側コネクタ６４の位置を変更することができる。
【０１１０】
また、図１１に示すように複数の配置位置３４は、ＩＣソケット３２０の載置位置３１２を中心として、径方向及び周方向のいずれにも接続ユニット側コネクタ６４の位置を変更できるように設けられることが好ましい。
【０１１１】
また、本例において保持基板３０と略平行な面におけるＩＣソケット３２０及び接続ユニット側コネクタ６４の断面はそれぞれ長方形である。上記径方向において、ＩＣソケット３２０の載置位置３１２に最も近い配置位置３４に、接続ユニット側コネクタを保持する場合、保持基板３０は、接続ユニット側コネクタ６４の断面の長辺が、ＩＣソケット３２０の断面の最も近い辺と対向するように、接続ユニット側コネクタ６４を保持することが好ましい。例えば、配置位置３４−４に設けられた位置決め部材４２は、接続ユニット側コネクタ６４の長辺がＩＣソケット３２０の断面の最も近い辺と略平行となるように、接続ユニット側コネクタを保持する。接続ユニット側コネクタ６４には、長辺方向に沿って複数の端子が設けられるが、本例によれば、高周波の信号を供給するべくＩＣソケット３２０の近傍に接続ユニット側コネクタ６４を設けた場合に、それぞれの端子と電子デバイス３１０のピンとの距離を略等しくすることができ、良好な伝送特定で電子デバイス３１０に信号を供給することができる。
【０１１２】
また、保持基板３０は、小径パフォーマンスボード位置決め部材４６と、大径パフォーマンスボード位置決め部材４４とを有する。例えば、小径パフォーマンスボード位置決め部材４６及び大径パフォーマンスボード位置決め部材４４は、パフォーマンスボード３００と対向する保持基板３０の面に設けられた複数の嵌合用の突起であってよい。
【０１１３】
小径パフォーマンスボード位置決め部材４６は、径が予め定められた大きさ以下であるパフォーマンスボード３００を保持するべき位置を定める。また、大径パフォーマンスボード位置決め部材４４は、保持基板３０上において、小径パフォーマンスボード位置決め部材４６より、ＩＣソケット３２０の載置位置３１２から遠い位置に設けられ、径が予め定められた大きさより大きいパフォーマンスボード３００を保持するべき位置を定める。本例における接続ユニット１００によれば、径の異なる複数種類のパフォーマンスボード３００と精度よく接続することができる。
【０１１４】
図１２は、保持基板３０及び接続ユニット側コネクタ６４の断面の一例を示す。図１１において説明したように、保持基板３０は、接続ユニット側コネクタ６４を保持する面に、位置決め部材４２を有する。本例において、位置決め部材４２は接続ユニット側コネクタ６４の方向に延伸する突起である。
【０１１５】
接続ユニット側コネクタ６４は、保持基板３０と対向する面に、位置決め部材４２と嵌合する溝１２を有する。位置決め部材４２と、接続ユニット側コネクタ６４の溝１２とを嵌合させることにより、接続ユニット側コネクタ６４を保持基板３０上に保持することができる。また、位置決め部材４２が溝形状であって、接続ユニット側コネクタ６４が突起を有していてもよい。
【０１１６】
図１３は、保持基板３０の上面図の他の例を示す。本例において、パフォーマンスボード３００は、２個のＩＣソケット３２０を載置する。接続ユニット１００は、複数のＩＣソケット３２０に対応して設けられた複数の接続ユニット側コネクタ６４を備える。
【０１１７】
保持基板３０は、それぞれのＩＣソケット３２０の載置位置３１２に対して、対応する接続ユニット側コネクタ６４を、保持基板上３０における位置が変更可能に保持する。つまり、保持基板３０は、それぞれのＩＣソケット３２０に対して、図１１において説明した機能及び構成を有する。例えば、不図示の貫通孔に接続ユニット側コネクタ６４を通過させることにより、接続ユニット側コネクタ６４を所望の位置に移動させることができる。
【０１１８】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。その様な変更又は改良を加えた形態も本発明の技術的範囲に含まれ得ることが、特許請求の範囲の記載から明らかである。
【０１１９】
上記説明から明らかなように、この発明による被測定デバイス搭載ボードによれば、スルーホール部分のスタブ容量を削減することができ、よって高速信号に対応可能な被測定デバイス搭載ボードを得ることができる。
【０１２０】
また、そのような被測定デバイス搭載ボードをＩＣ試験装置のデバイスインタフェース部が具備することにより、高速信号においても良好な波形品質が得ら、高速試験を実行できるものとなる。
【０１２１】
また、本発明に係る接続ユニットによれば、複数種類のパフォーマンスボード、又はプローブカードと接続して、電子デバイスに良好な伝送特性で信号を供給することができる。このため、電子デバイスを精度よく試験することができる。
【図面の簡単な説明】
【０１２２】
【図１】この発明による被測定デバイス搭載ボードの第１の実施例を説明するための図である。
【図２】この発明による被測定デバイス搭載ボードの第２の実施例を説明するための図である。
【図３】この発明による被測定デバイス搭載ボードの第３の実施例を説明するための図である。
【図４】ＩＣ試験装置のデバイスインタフェース部の各種構成例を説明するための図である。図４（ａ）は、デバイスインタフェース部の構成の一例を示し、図４（ｂ）は、デバイスインタフェース部の構成の他の例を示す。
【図５】被測定デバイス搭載ボードの一例である、パフォーマンスボード３００の詳細な構成の例を示す図である。
【図６】ソケット基板３５０の断面の拡大図の例を示す図である。図６（ａ）は、低周波用スルーホール３７４の近傍の拡大図の一例を示し、図６（ｂ）は、低周波用スルーホール３７４の近傍の拡大図の他の例を示し、図６（ｃ）は、高周波用片面ホール３８２の近傍の拡大図の一例を示す。
【図７】図６において説明したそれぞれの例において生じる、反射成分の計測結果の一例を示す図である。
【図８】高周波用片面ホール３８２の近傍の拡大図の他の例を示す図である。
【図９】被測定デバイス搭載ボードの一例である、プローブカード４００の詳細な構成の例を示す図である。
【図１０】電子デバイスの試験を説明する図である。
【図１１】保持基板３０の上面図の一例を示す図である。
【図１２】保持基板３０及び接続ユニット側コネクタ６４の断面の一例を示す図である。
【図１３】保持基板３０の上面図の他の例を示す図である。
【図１４】ＩＣ試験装置の全体構成を説明するための図である。
【図１５】被測定デバイス搭載ボードの従来構造を説明するための図である。
【符号の説明】
【０１２３】
１・・・メインフレーム、２・・・テストヘッド、３・・・デバイスインタフェース部、４・・・ケーブル、１０・・・マザーボード、１１・・・基板、１２・・・溝、１５・・・コネクタ、２０・・・被測定デバイス搭載ボード、２１・・・電極バッド、２２・・・電極バッド、２３・・・スルーホール、２４・・・内装配線パターン、２５・・・スタブ部分、３０・・・保持基板、３２・・・貫通孔、３４・・・配置位置、４０・・・被測定デバイス、４２・・・位置決め部材、４４・・・大径パフォーマンスボード位置決め部材、４６・・・小径パフォーマンスボード位置決め部材、５０・・・被測定デバイス搭載ボード、５１・・・ＳＶＨ、５２・・・貼り合わせ部、５５・・・被測定デバイス搭載ボード、５６・・・被測定デバイス搭載ボード、５７・・・被測定デバイス搭載ボード、６０・・・パフォーマンスボード、６４・・・接続ユニット側コネクタ、６６・・・接続ケーブル、７０・・・マザーボード、１００・・・接続ユニット、２００・・・試験装置、３００・・・パフォーマンスボード、３１０・・・電子デバイス、３１２・・・載置位置、３２０・・・ＩＣソケット、３３０・・・パフォーマンスボード側コネクタ、３４０・・・信号配線、３５０・・・ソケット基板、３６０・・・低周波用片面ホール、３６２・・・高周波用スルーホール、３６４・・・プローブピン、３７０・・・高周波信号用コネクタ、３７２・・・低周波信号用コネクタ、３７４・・低周波用スルーホール、３７６・・・低周波信号用配線、３７８・・・ＧＮＤ配線、３７８−１・・・下層ＧＮＤ配線、３７８−２・・・上層ＧＮＤ配線、３８０・・・高周波信号用配線、３８２・・・高周波用片面ホール、３８４・・・ＧＮＤ用スルーホール、３９０・・・領域、４００・・・プローブカード
【図１】
2011154033.tif 000003
【図２】
2011154033.tif 000004
【図３】
2011154033.tif 000005
【図４】
2011154033.tif 000006
【図５】
2011154033.tif 000007
【図６】
2011154033.tif 000008
【図７】
2011154033.tif 000009
【図８】
2011154033.tif 000010
【図９】
2011154033.tif 000011
【図１０】
2011154033.tif 000012
【図１１】
2011154033.tif 000013
【図１２】
2011154033.tif 000014
【図１３】
2011154033.tif 000015
【図１４】
2011154033.tif 000016
【図１５】
2011154033.tif 000017
【手続補正書】
【提出日】平成23年3月14日(2011.3.14)
【手続補正１】
【補正対象書類名】特許請求の範囲
【補正対象項目名】全文
【補正方法】変更
【補正の内容】
【特許請求の範囲】
【請求項１】
電子デバイスと、前記電子デバイスを試験する試験装置とを電気的に接続する被測定デバイス搭載ボードであって、
複数の層に配線が形成されたソケット基板と、
前記ソケット基板の下面に設けられ、前記電子デバイスに供給する試験信号を前記試験装置から受け取るコネクタと
を備え、
前記ソケット基板は、
前記ソケット基板のいずれかの層に形成され、前記試験信号を前記電子デバイスに伝送する信号用配線と、
前記信号用配線より前記ソケット基板の上面側の層に形成され、それぞれ接地電位に接続される複数の上層ＧＮＤ配線と、
前記信号用配線より前記ソケット基板の下面側の層に形成され、それぞれ接地電位に接続される下層ＧＮＤ配線と、
前記ソケットの下面から、前記ソケットの上面に向かって形成され、前記コネクタと、前記信号用配線とを電気的に接続する片面ホールと
を有し、
前記複数の上層ＧＮＤ配線のうちの少なくとも一部と、前記片面ホールとの水平方向における距離は、前記下層ＧＮＤ配線と前記片面ホールとの水平方向における距離より大きいことを特徴とする被測定デバイス搭載ボード。
【請求項２】
前記複数の上層ＧＮＤ配線のうち、最も前記信号用配線に近い上層ＧＮＤ配線と前記片面ホールとの前記水平方向における距離は、前記下層ＧＮＤ配線と前記片面ホールとの前記水平方向における距離と略同一であり、他の前記上層ＧＮＤ配線と前記片面ホールとの前記水平方向における距離より小さいことを特徴とする請求項１に記載の被測定デバイス搭載ボード。
【請求項３】
前記片面ホールは、前記ソケットの下面から、前記ソケットの上面に達しない中層位置まで形成される請求項１または２に記載の被測定デバイス搭載ボード。
【請求項４】
電子デバイスと、前記電子デバイスを試験する試験装置とを電気的に接続する被測定デバイス搭載ボードであって、
複数の層に配線が形成されたソケット基板と、
前記ソケット基板の下面に設けられ、前記電子デバイスに供給する試験信号を前記試験装置から受け取るコネクタと
を備え、
前記ソケット基板は、
前記ソケット基板のいずれかの層に形成され、前記試験信号を前記電子デバイスに伝送する信号用配線と、
前記ソケットの下面から、前記ソケットの上面に達しない中層位置まで形成され、前記コネクタと、前記信号用配線とを電気的に接続する片面ホールと、
前記信号用配線と異なる複数の層において、前記片面ホールを前記ソケット基板の上面まで延長した場合に、前記片面ホールが形成される領域以外に形成され、それぞれ接地電位に接続される複数のＧＮＤ配線と
を有することを特徴とする被測定デバイス搭載ボード。
【請求項５】
ＩＣ試験装置において被測定デバイスを試験する電気信号をインタフェースするために使用されるボードであって、
多層プリント配線板構造を有し、
内層配線パターンの両端のいずれか一方がスルーホールと接続され、残る他方がＳＶＨ（Surface Buried Via Hole)と接続され、
前記内層配線パターンの層を挟むように上下に接地層を備え、
前記ＳＶＨの周辺部の接地層は、当該ＳＶＨのスタブ部位の存在に伴う伝送特性の劣化を低減するように、当該スタブ部位と接地層との距離を形成し、
それら接続されたＳＶＨ、内層配線パターン及びスルーホールによって表裏両面間の配線が構成されていることを特徴とする被測定デバイス搭載ボード。
【請求項６】
前記被測定デバイス搭載ボードは、
前記内層配線パターンの層と接地層を有する複数層構成の複数層プリント基板を備え、
少なくとも２枚の前記複数層プリント基板を貼り合わせた後に、前記内層配線パターンの両端の前記一方と接続される前記スルーホールを形成して多層プリント配線板を形成し、
前記複数層プリント基板の段階で形成された所定のスルーホールを、前記内層配線パターンの両端の前記他方と接続される前記ＳＶＨとして適用し、
前記内層配線パターンの導体幅と、上下の前記接地層の距離とに基づいて、所定の特性インピーダンスを形成することを特徴とする請求項５に記載の被測定デバイス搭載ボード。
【請求項７】
テストヘッドと被測定デバイスとの間を通過する電気信号をインタフェースするＩＣ試験装置のデバイスインタフェース部において、
被測定デバイスを試験する電気信号をインタフェースするために使用する被測定デバイス搭載ボードが、
多層プリント配線板構造を有し、
内層配線パターンの両端のいずれか一方がスルーホールと接続され、残る他方がＳＶＨ（Surface Buried Via Hole)と接続され、
前記内層配線パターンの層を挟むように上下に接地層を備え、
前記ＳＶＨの周辺部の接地層は、当該ＳＶＨのスタブ部位の存在に伴う伝送特性の劣化を低減するように、当該スタブ部位と接地層との距離を形成し、
それら接続されたＳＶＨ、内層配線パターン及びスルーホールによって表裏両面間の配線が構成されていることを特徴とするデバイスインタフェース部。